(57)【要約】      （修正有）【課題】室内外で使用可能であり、運動を含んだ遊びにも利用可能な多目的運動器具を提供する。【解決手段】運動器具３００は、本体１００と握り部２００とで構成される。本体は板状であり、上部は凸面１０、下部は凹面２０を形成し、両側端部には掴みスリット１２が設けられ、掴みスリットの下部には、地面から所定間隔離れるように、支持凸部２２が一体に突出形成させる。握り部は、本体の上部凸面に着脱自在に取り付けられる。【選択図】図１
0003174809.tif 000002
【実用新案登録請求の範囲】
【請求項１】
板状になり、上部は凸面（１０）を形成し、下部は凹面（２０）を形成し、上部凸面（１０）の曲率に沿って降りてくる両側端部には、掴みスリット（１２）がそれぞれ設けられ、上記掴みスリット（１２）の下部には、地面から所定間隔離れるように、支持凸部（２２）が一体に突出形成された本体（１００）と、
上記本体（１００）の上部凸面（１０）の一側に着脱自在に取り付けられる握り部（２００）とで構成されることを特徴とする多目的運動器具。
【請求項２】
上記本体（１００）の下部凹面（２０）の角部には、下記収納式キャスター（３４）が収納されるように収納溝（２４）がそれぞれ設けられ、上記収納溝（２４）にヒンジで結合し、回転により収納溝（２４）に収納されるか、または外部に露出する収納式キャスター（３４）で構成されたことを特徴とする請求項１に記載の多目的運動器具。
【請求項３】
上記本体（１００）の両側部には、凸面（１０）及び凹面（２０）の曲率と対応するように板状に形成され、内側に向かって側面掴み溝（４２）が一体に形成された側板（４０）が着脱自在に備えられたことを特徴とする請求項１に記載の多目的運動器具。
【請求項４】
上記本体（１００）の両側端上部には、握り部（２００）が着脱自在に、固定溝（１６）が少なくとも１つ以上設けられたことを特徴とする請求項１に記載の多目的運動器具。
【請求項５】
上記本体（１００）の側端部には、上下部を貫通する多数の締結孔（２６）が設けられ、上記締結孔（２６）には、弾性材質からなり、復元力に優れた弾性ワイヤー（５０）が着脱自在に締結されることを特徴とする請求項１に記載の多目的運動器具。
【請求項６】
上記本体（１００）の凸面（１０）には、長手方向に沿って複数の支持レール（１４）が互いに所定間隔離して一体に突出形成されたことを特徴とする請求項１に記載の多目的運動器具。
【請求項７】
上記支持凸部（２２）の一面には、地面との滑りを防止するとともに、運動時の衝撃を緩和できるようにする摩擦パッド（２３）が設けられたことを特徴とする請求項１に記載の多目的運動器具。
【請求項８】
上記固定溝（１６）には、使用者が凸面（１０）を利用してステッパー運動をするとき、一定の角度以上は傾かないように仕組み、使用者の安全と運動強度を調節できるように、弾性材質からなって衝撃を吸収できる弾性体（８０）が着脱自在に設けられたことを特徴とする請求項５に記載の多目的運動器具。
【請求項９】
上記収納溝（２４）には、上記収納式キャスター（３４）が本体（１００）の外部に露出するとき、弾力的に固定されるように係止突起（２４ａ）が一体に突出形成され、上記収納式キャスター（３４）には、上記係止突起（２４ａ）が相互対応し、内側に挿入固定されるように係止溝（３４ａ）が設けられたことを特徴とする請求項２に記載の多目的運動器具。
【請求項１０】
上記本体（１００）の下部凹面（２０）の中心部には、使用者が立ったり座ったりして回転により上半身の運動をすることができるように回転可能な回転円盤（６０）が備えられたことを特徴とする請求項１に記載の多目的運動器具。
【請求項１１】
上記本体（１００）の下部凹面（２０）には、使用者の足を指圧できるようにする多数の指圧突起（２５）と、使用者の足を指圧するとともに、血液循環を促進できる指圧磁石突起（２７）とが一体に突出形成されたことを特徴とする請求項１に記載の多目的運動器具。
【考案の詳細な説明】
【技術分野】
【０００１】
本考案は、多目的運動器具に関し、より詳細には、三日月形の本体を、使用者の希望する運動種類に応じて引っ繰り返し、本体上に座ったり立ったりして多様な形態の運動を行うことができるように構成することにより、室内だけでなく室外でも、空間や時間に拘束されることなく、運動を楽しむことができるようにし、利用上の利便性と運動の効率が増大できる多目的運動器具に関する。
【背景技術】
【０００２】
一般的に、忙しい現代人は時間的余裕がなく、健康のために午前や勤め帰りの午後などの時間を割いてフィットネスクラブのような運動器具が備えられている場所で運動を楽しんでおり、これもできない人は、通常、多目的運動器具を購入し、家庭で運動をしている現状である。
【０００３】
しかし、上記フィットネスクラブのような場所で運動をする場合は、料金が高いため、なかなか利用できない人も多い。
【０００４】
また、家庭では、多目的運動器具に備えられているサイクリング、胸筋トレーニング器、脚筋トレーニング器などにより、一つの運動器具を用いて全身運動ができる効果がある反面、その運動器具の購入費用が高く、運動器具の占める空間が大きいため、一般使用者が運動器具を購入して家庭で使用するには、スペース面で非効率的であり、階下・階上への騷音による争いが起こるなどのような問題が生じる。
【０００５】
そして、コンピュータの前に長時間座っている会社員や学生、またはハイヒールを履く女性など殆どの現代人は、椅子に座る姿勢が正しくなく、背骨が曲がったり骨盤に歪みが生じ、椎間板ヘルニアなどの各種の疾病が誘発される問題がある。
【考案の概要】
【考案が解決しようとする課題】
【０００６】
本考案は、上述した従来の問題を改善するためになされたものであり、本考案の目的は、忙しくて健康のために運動をする時間的な余裕がない使用者のためのものであって、運動器具が備えられているフィットネスクラブなどで高い費用をかけて運動する必要がなく、家庭内で空間及び時間に拘束されずに全身運動ができる多目的運動器具を提供することにある。
【０００７】
また、本考案は、室内だけでなく室外でも使用可能であり、必要に応じて運動を含んだ遊び機構としても利用可能な多目的運動器具を提供することを目的とする。
【課題を解決するための手段】
【０００８】
本考案は、上記目的を達成するために、板状になり、上部は凸面を形成し、下部は凹面を形成し、上部凸面の曲率に沿って降りてくる両側端部には、掴みスリットがそれぞれ設けられ、上記掴みスリットの下部には、地面から所定間隔離れるように、支持凸部が一体に突出形成された本体と、上記本体の上部凸面の一側に着脱自在に取り付けられる握り部とで構成される多目的運動器具により達成される。
【０００９】
また、上記本体の下部凹面の角部には、下記収納式キャスターが収納されるように収納溝がそれぞれ設けられ、上記収納溝にヒンジで結合し、回転により収納溝に収納されるか、または外部に露出する収納式キャスターで構成された多目的運動器具により達成される。
【００１０】
また、上記本体の両側部には、凸面及び凹面の曲率と対応するように板状に形成され、内側に向かって側面掴み溝が一体に形成された側板が着脱自在に備えられた多目的運動器具により達成される。
【００１１】
また、上記本体の両側端上部には、握り部が着脱自在に、固定溝が少なくとも１つ以上設けられた多目的運動器具により達成される。
【００１２】
また、上記本体の側端部には、上下部を貫通する多数の締結孔が設けられ、上記締結孔には、弾性材質からなり、復元力に優れた弾性ワイヤーが着脱自在に締結される多目的運動器具により達成される。
【００１３】
また、上記本体の凸面には、長手方向に沿って複数の支持レールが互いに所定間隔離して一体に突出形成された多目的運動器具により達成される。
【００１４】
また、上記支持凸部の一面には、地面との滑りを防止するとともに、運動時の衝撃を緩和できるようにする摩擦パッドが設けられた多目的運動器具により達成される。
【００１５】
また、上記固定溝には、使用者が凸面を利用してステッパー運動をするとき、一定の角度以上は傾かないように仕組み、使用者の安全と運動強度を調節できるように、弾性材質からなって衝撃を吸収できる弾性体が着脱自在に設けられた多目的運動器具により達成される。
【００１６】
また、上記収納溝には、下記収納式キャスターが本体の外部に露出するとき、弾力的に固定されるように係止突起が一体に突出形成され、上記収納式キャスターには、上記係止突起が相互対応し、内側に挿入固定されるように係止溝が設けられた多目的運動器具により達成される。
【００１７】
また、上記本体の下部凹面の中心部には、使用者が立ったり座ったりして回転により上半身の運動をすることができるように回転可能な回転円盤が備えられた多目的運動器具により達成される。
【００１８】
また、上記本体の下部凹面には、使用者の足を指圧できるようにする多数の指圧突起と、使用者の足を指圧するとともに、血液循環を促進できる指圧磁石突起とが一体に突出形成された多目的運動器具により達成される。
【考案の効果】
【００１９】
以上で説明したように、本考案の多目的運動器具は、忙しくて健康のために運動をする時間的な余裕がない使用者のためのものであって、運動器具が備えられているフィットネスクラブなどで高い費用をかけて運動する必要がなく、家庭の内外で空間及び時間に拘束されずに全身運動ができる効果がある。
【００２０】
また、本考案による多目的運動器具は、本体に備えられた収納式キャスターにより地面上を転がることができるようになっているので、本体に牽引紐をつけ、これを引けるようにし、使用者の一人は本体に座り、残りの一人は本体を引くなどして遊び機構としても利用できる効果がある。
【図面の簡単な説明】
【００２１】
【図１】本考案の実施例による多目的運動器具の斜視図である。
【図２】本考案の実施例による多目的運動器具の分解斜視図である。
【図３】本考案の実施例による多目的運動器具の背面斜視図である。
【図４】本考案の実施例による多目的運動器具の収納式キャスターが収納された状態を示す背面斜視図である。
【図５】本考案の実施例による多目的運動器具の握り部が複数取り付けられたことを示す分解斜視図である。
【図６】本考案の実施例による多目的運動器具の固定溝に弾性ストッパーが着脱自在に取り付けられたことを示す分解斜視図である。
【図７】本考案の実施例による多目的運動器具の凸面を用いた運動姿を示す使用状態図である。
【図８】本考案の実施例による多目的運動器具の凹面を用いた運動姿を示す使用状態図である。
【考案を実施するための形態】
【００２２】
本考案は、多目的運動器具に関し、より詳細には、三日月形の本体を、使用者の希望する運動種類に応じて引っ繰り返し、本体上に座ったり立ったりして多様な形態の運動を行うことができるように構成することにより、室内だけでなく室外でも、空間や時間に拘束されることなく、運動を楽しむことができるようにし、利用上の利便性と運動の効率を増大できる多目的運動器具に関する。
【００２３】
本考案は、板状になり、上部は凸面１０を形成し、下部は凹面２０を形成し、上部凸面１０の曲率に沿って降りてくる両側端部には、掴みスリット１２がそれぞれ設けられ、上記掴みスリット１２の下部には、地面から所定間隔離れるように、支持凸部２２が一体に突出形成された本体１００と、上記本体１００の上部凸面１０の一側に着脱自在に取り付けられる握り部２００とで構成されることを特徴とする。
【００２４】
このような特徴を有する本考案を、添付された図面に示す実施例を参照して詳細に説明する。
【００２５】
図１は、本考案の実施例による多目的運動器具の斜視図であり、図２は、本考案の実施例による多目的運動器具の分解斜視図、図３は、本考案の実施例による多目的運動器具の背面斜視図、図４は、本考案の実施例による多目的運動器具の収納式キャスターが収納された状態を示す背面斜視図、図５は、本考案の実施例による多目的運動器具の握り部が複数取り付けられたことを示す分解斜視図、図６は、本考案の実施例による多目的運動器具の固定溝に弾性ストッパーが着脱自在に取り付けられたことを示す分解斜視図、図７は、本考案の実施例による多目的運動器具の凸面を用いた運動姿を示す使用状態図、及び図８は、本考案の実施例による多目的運動器具の凹面を用いた運動姿を示す使用状態図である。
【００２６】
ここで、本考案の実施例による多目的運動器具は、添付された図１〜図６に示すように、板状になり、上部は凸面１０を形成し、下部は凹面２０を形成して三日月形となっており、上部凸面１０の曲率に沿って降りてくる両側端部には、掴みスリット１２がそれぞれ設けられ、上記掴みスリット１２の下部には、地面から所定間隔離間するように、支持凸部２２が一体に突出形成された本体１００と、上記本体１００の上部凸面１０の一側に着脱自在に取り付けられる握り部２００とで構成される。
【００２７】
このとき、上記握り部２００は、本体１００の凸面１０の曲率に沿って降りてくる両側端部に、それぞれ複数設けられる固定溝１６に垂直に着脱自在に取り付けられることが望ましい。
【００２８】
また、上記握り部２００は、本体１００の固定溝１６に締結されるＴ字状の支持バー２１０と、上記支持バー２１０の水平なバーに結合する弾性材質からなる弾性パッド２２０とで構成される。
【００２９】
また、上記固定溝１６には、使用者が凸面１０を用いてステッパー運動をするとき、一定の角度以上は傾かないように、固定溝１６の外部へ所定部位が突出するように形成され、使用者の安全と運動強度を調節できるように、弾性材質からなって衝撃を吸収できる弾性体８０が着脱自在に設けられる。
【００３０】
このとき、上記弾性体８０は、弾性材質からなる合成樹脂ゴムなどからなることが望ましいが、必要に応じて、弾性スプリング（図示せず）などで構成されてもよいのは言うまでもない。
【００３１】
また、上記支持凸部２２の一面には、地面との滑りを防止するとともに、運動時の衝撃を緩和できるようにする摩擦パッド２３が設けられる。
【００３２】
また、上記本体１００は、使用者の運動方法によって引っ繰り返して使用できるように構成されたものであることを明確にしておく。
【００３３】
また、上記本体１００の両側部には、凸面１０と凹面２０の曲率と対応するように三日月形の板状に形成され、内側に向かって掘り込まれた側面掴み溝４２が一体に形成された側板４０が着脱自在に設けられる。
【００３４】
このとき、上記側板４０は、本体１００と着脱自在に取り付けられるが、これに対し、本体１００に一体に形成され、本体１００の両側面に、内側に向かって掘り込まれた側面掴み溝４２が設けられてもよいのは言うまでもない。
【００３５】
また、上記凸面１０の上部には、添付された図１及び図２に示すように、使用者が本体１００の凹面２０を利用した運動をするために引っ繰り返した場合に、本体１００の凸面１０が地面と接触することで生じる摩擦により表面が損傷するのを防止するとともに、地面との接触面積を減らすことにより、地面上の異物のため面接触による転がり接触時に発生する振動を最小化するために、凸面１０の長手方向に沿って互いに所定間隔離して一体に複数突出形成された支持レール１４が備えられる。
【００３６】
このとき、上記支持レール１４の上端部には、弾性材質からなり、地面との衝撃を吸収するための緩衝パッド１４ａが設けられることが望ましい。
【００３７】
また、上記本体１００の下部凹面２０の角部には、下記収納式キャスター３４が収納されるように収納溝２４がそれぞれ設けられ、このとき、上記収納溝２４には、ヒンジ（図示せず）で結合し、回転により収納溝２４に収納されるか、または外部に露出する収納式キャスター３４が備えられる。
【００３８】
このとき、上記ヒンジ（図示せず）は、収納溝２４の中心部に設けられることが望ましく、また、上記収納式キャスター３４の大きさは、収納溝２４の１／２の大きさで形成され、ヒンジ（図示せず）による回転で収納及び外部露出の際、収納溝２４と干渉しないように構成されることが望ましい。
【００３９】
また、上記収納溝２４には、下記収納式キャスター３４が本体１００の外部へ露出する時に、弾力的に固定されるように係止突起２４ａが一体に突出形成され、また、上記収納式キャスター３４には、上記係止突起２４ａが互いに対応して内側に挿入固定されるように係止溝３４ａが設けられる。
【００４０】
このとき、上記収納式キャスター３４は、本体１００を前後方向にのみ動かすことができるが、必要に応じて、前、後、左、右の全方向に動かせるように構成することもできるのは言うまでもない。
【００４１】
そして、上記本体１００の凹面２０の中心部には、使用者が立ったり座ったりして回転により上半身の運動ができるように回転可能な回転円盤６０が設けられる。
【００４２】
このとき、上記回転円盤６０の上部面には、使用者が上半身の運動をするために載せた足またはお尻が、回転時に滑り落ちて離脱するのを防止するとともに、使用者の体重による衝撃を緩和できるように、弾性材質の緩衝摩擦パッド６２が設けられることが望ましい。
【００４３】
また、上記本体１００の凹面２０には、添付された図３及び図４に示すように、使用者の足を指圧するとともに、血液循環を促進できる指圧突起２５と指圧磁石突起２７とが一体に突出形成される。
【００４４】
このとき、上記指圧突起２５と指圧磁石突起２７は、凹面２０の中心部に設けられた回転円盤６０と支持凸部２２との間に満遍なく分布するように形成されることが望ましい。
【００４５】
即ち、使用者が本体１００の凹面２０を利用した運動をする場合に、使用者の両足が回転円盤６０を介して指圧突起２５と指圧磁石突起２７との上に載せられるようにすることにより、運動時に使用者の足を指圧するとともに、血液循環を図るようにするためである。
【００４６】
このとき、上記支持凸部２２は、使用者の両足が凹面２０に形成された指圧突起２５と指圧磁石突起２７とから本体１００の外部へ離脱するのを防止する役割をする。
【００４７】
また、上記本体１００の側端部には、上下部を貫通する多数の締結孔２６が設けられる。
【００４８】
そして、上記締結孔２６には、弾性材質からなり、復元力に優れた弾性ワイヤー５０が着脱自在に締結される。
【００４９】
このとき、上記弾性ワイヤー５０の両端の一端部には、締結孔２６に着脱固定できるようにベルクロ（登録商標）テープ５２が付着されたベルト５４が備えられ、他端部には、使用者が手で把持できるように取っ手リング５６が備えられる。
【００５０】
ここで、本考案による実施例において、上記弾性ワイヤー５０の両端をいずれもベルクロ（登録商標）テープ５２が付着されたベルト５４で形成し、本体１００の両側に設けられた締結孔２５にそれぞれ連続通過させ、一つの弾性ワイヤー５０をもって使用者が両手で把持できるように構成することもできるのは言うまでもない。
【００５１】
一方、上記締結孔２６には、弾力性のない無弾性材質からなり、両端の一端部には、締結孔２６に固定されるようにベルクロ（登録商標）テープ７２が付着されたベルト７４が備えられ、また、他端部には、一体に形成されたベルト掴み部７６が形成された牽引紐７０が締結され、使用者が２人の場合、一人は本体１００の凸面１０に座り、残りの一人は上記牽引紐７０を掴んで引っ張ることができるように構成することにより、運動器具ではなく遊び機構としても利用することができるのは言うまでもない。
【００５２】
このとき、上記牽引紐７０を本体１００に締結した場合には、本体１００の下部凹面２０に多数設けられた収納式キャスター３４を外部へ突出固定させてから利用することが望ましい。
【００５３】
上記のように構成される本考案の作用効果は、下記の通りである。
まず、本考案の多目的運動器具３００を利用した運動方法によれば、本体１００の凸面１０と凹面２０を利用した運動方法に大きく分けることができ、添付された図７は、本考案の凸面１０を利用した運動方法を示し、また、図８は、凹面を利用した運動方法を示すものであって、添付された図７の（ａ）のように、使用者は、多目的運動器具３００の本体１００の凸面１０を繰り返して昇降する運動をすることで下半身を鍛える運動ができ、また、図７の（ｂ）のように、使用者は、本体１００の凸面１０の上部に仰向けになって寝た状態でストレッチングをすることができる。
【００５４】
また、添付された図７の（ｃ）のように、本体１００の凸面１０に着脱自在に設けられたＴ字状の握り部２００を設置固定した後、使用者の足を握り部２００と凸面１０との間に入れて使用者の脚を支持固定し、腹筋運動をすることで腹筋を鍛えることができる。
【００５５】
一方、添付された図８は、本考案の多目的運動器具３００の凹面２０を利用した運動方法を示すものであって、まず、添付された図８の（ａ）のように、使用者が本体１００の凹面２０に形成された指圧突起２５と指圧磁石突起２７が形成された部位を、両足で踏んであたかも歩行または駆け足するかのように動いてステッパー運動をすることができ、また、添付された図８の（ｂ）のように、使用者が凹面２０の中心部に設けられた回転円盤６０に座った後、両手で支持凸部２２と掴みスリット１２を把持し、上半身のツイスト運動をすることができる。
【００５６】
また、添付された図８の（ｃ）のように、本体１００の凹面２０を上向きにした後、本体１００の支持凸部２２と掴みスリット１２を使用者が手で把持し、背中をまっすぐに伸ばして身体のバランスを取りながら腕立て伏せ運動をすることで、バランス感覚及び上下半身の全身運動をすることができる。
【００５７】
また、添付された図８の（ｄ）のように、上述した図８の（ａ）と運動方法が類似しているが、使用者が身体を本体１００の長手方向に向かうようにした後、両足が指圧突起２５と指圧磁石突起２７の上に置かれるようにし、歩行運動を繰り返して下半身の運動をすることができる。
【００５８】
しかも、添付された図８の（ｅ）のように、上述した図８の（ｄ）と同一の姿勢で歩行運動により下半身の運動をするが、さらに本体１００の締結孔２６に弾性ワイヤー５０をかけ、使用者が弾性ワイヤー５０を両手で掴んで歩行ステップ運動をすると同時に引っ張る運動を繰り返して行うことにより、上下半身をいずれも鍛えることができる。
【００５９】
また、本考案の多目的運動器具３００は、使用者が、応用方法によってより一層多様な運動を楽しむことができるものであることは言うまでもない。
【００６０】
また、添付された図面には示していない運動方法について説明すれば、本考案の多目的運動器具３００を通じてヨガとバランス感覚の養い及び脹脛のストレッチを行うことができ、ヨガの場合は、本体１００の凸面１０の上部に使用者が片足で立ってバランスを取り、ヨガポーズ及びバランスの感覚を養うポーズを取ることができる。
【００６１】
従って、以上で説明したように、本考案の多目的運動器具３００は、忙しくて健康のために運動をする時間的な余裕がない使用者のためのものであって、運動器具が備えられているフィットネスクラブなどで高い費用をかけて運動する必要がなく、家庭の内外で空間及び時間に拘束されずに全身運動ができる効果がある。
【００６２】
また、本考案による多目的運動器具３００は、本体１００に備えられた収納式キャスター３４により地面上を転がることができるようになっているので、本体に牽引紐７０をつけ、これを引けるようにし、使用者の一人は本体１００に座り、残りの一人は本体１００を引くなどして遊び機構としても利用できるものである。
【００６３】
上記実施例は、本考案の望ましい実施例を説明したものに過ぎず、本考案の適用範囲は、このようなものに限定されず、同一思想の範疇内で適切に変更可能なものである。
【００６４】
従って、本考案の実施例に示した各構成要素の形状及び構造などは、変形して実施することができ、このような変形は、添付された本考案の特許請求の範囲に属するのは言うまでもない。
【符号の説明】
【００６５】
１００  本体
２００  握り部
１０  凸面
１２  掴みスリット
１４  支持レール
１４ａ  緩衝パッド
２０  凹面
２２  支持凸部
２３  摩擦パッド
２４  収納溝
２４ａ  係止突起
２５  指圧突起
２６  締結孔
２７  指圧磁石突起
３４  収納式キャスター
３４ａ  係止溝
４０  側板
４２  側面掴み溝
５０  弾性ワイヤー
６０  回転円盤
６２  緩衝摩擦パッド
８０  弾性体
２１０  支持バー
２２０  弾性パッド
３００  多目的運動器具
【図１】
0003174809.tif 000003
【図２】
0003174809.tif 000004
【図３】
0003174809.tif 000005
【図４】
0003174809.tif 000006
【図５】
0003174809.tif 000007
【図６】
0003174809.tif 000008
【図７】
0003174809.tif 000009
【図８】
0003174809.tif 000010